(57)【要約】輸送車両の除染及び消毒方法、及び前記除染用制御装置。本発明による方法は、輸送用車両の貨物室、または、少なくとも一つの貨物室区画の、病原菌の除去を保証する温度で前記貨物室に高温ガスを注入することによる、少なくとも一つの熱処理段階を備え、前記温度は、０〜９１℃の範囲である。除染用制御装置は、制御装置（１）；ユーザインターフェース（２）；一連の適切に配置された温度センサ（３）；及び実行された除染に関する日付、温度及び他の変数、及び除染プロセスが実行された車両の識別に関するデータ用記憶装置（５）を備える。【選択図】図１
2018516611.tif 000002
【特許請求の範囲】
【請求項１】
輸送用車両の貨物室、または、少なくとも一つの貨物室区画の、病原菌の除去を保証する温度で前記貨物室に高温ガスを注入することによる、少なくとも一つの熱処理段階を備え、前記温度は、０〜９１℃の範囲であることを特徴とする輸送車両の除染及び消毒方法。
【請求項２】
貨物室、または貨物室区画の除染／消毒に使用されるガスは、熱風であることを特徴とする請求項１に記載の方法。
【請求項３】
貨物室、または貨物室区画の除染／消毒に使用されるガスは、４５℃より高い温度の熱さであることを特徴とする請求項１または２に記載の方法。
【請求項４】
貨物室、または貨物室区画の除染／消毒は、あらかじめ適切に閉じられているその囲いの内部に熱風を導入することによって実行されることを特徴とする請求項１〜３のいずれか一項に記載の方法。
【請求項５】
貨物室、または貨物室区画の除染／消毒に使用される空気は、消毒製品を含む空気であることを特徴とする請求項１〜４のいずれか一項に記載の方法。
【請求項６】
貨物室、または貨物室区画の除染／消毒に使用される空気は、消臭製品を含む空気であることを特徴とする請求項１〜５のいずれか一項に記載の方法。
【請求項７】
外部自律加熱設備によって提供される貨物室、または貨物室区画の除染／消毒に使用されるガスは、管のよって囲い内に導入されることを特徴とする請求項１〜６のいずれか一項に記載の方法。
【請求項８】
輸送用車両の貨物室、または、少なくとも一つの貨物室区画の、病原菌の除去を保証する温度で前記貨物室に高温ガスを注入することによる熱処理段階によって実行される、輸送車両の除染を制御する装置であって、下記の：
ａ）自律設備によって実行される除染方法を設定する機能を実行するための適切なソフトウエアを実行する担当の、または、電子手段によって、車両に設置されたセンサから除染プロセスに関する一連のデータを受け、同様にそのようなデータを記憶し、処理し、及び、転送するために車両内に設置された制御装置（１）；
ｂ）制御装置（１）と相互作用して、制御装置に除染プロセスの機能に関する命令を転送し、一方で、同時に実行された作業及び、状況に応じて、実行されたプロセスに関するデータを提示し、さらに、実行された除染プロセスに関するデータの電子手段による転送、またはその印刷を制御することが可能なユーザインターフェース（２）；
ｃ）制御装置（１）に接続された、熱的に除染される貨物室区画の様々な地点に適切に配置され、除染プロセスの間及び終わりに、その読み取りを記憶及び／または処理する温度センサ（３）；
ｄ）実行された除染に関する日付、温度及び他の変数、及び除染プロセスが実行された車両の識別に関するデータ用記憶装置（５）；
を備えることを特徴とする装置。
【請求項９】
また実行された除染方法の証明書が印刷されるプリンタ（６）を内蔵することを特徴とする請求項８に記載の装置。
【請求項１０】
さらにモバイル情報端末、または、全保有車両の情報センターにおいて、対応する車両の実施された除染データを、インターネットを介して転送し、ダウンロードすることが可能なエミッタ／レシーバ（７）を内蔵することを特徴とする請求項８または９に記載の装置。
【請求項１１】
さらに外部データ記憶装置に接続するための、または、制御装置（１）の制御ソフトウエアの実行用のＵＳＢポートを内蔵することを特徴とする請求項８〜１０のいずれか一項に記載の装置。
【発明の詳細な説明】
【技術分野】
【０００１】
本発明は、輸送貨物室、または少なくとも貨物室の一区画、自動車または類似物の除染及び消毒方法、特に、車両内の動物または汚染製品を輸送した後の悪臭、並びにそのような目的で製造されたトラックで生きた動物を輸送した後の、サルモネラ菌、ジフテリア、ＰＥＤ（Ｐｏｒｃｉｎｅ  ｅｐｉｄｅｍｉｃ  ｄｉａｒｒｈｅａ（ブタ伝染性下痢）等のような種々の病原菌によって特に発生する汚染の除去を可能にする微生物脱臭方法に関するものである。
【０００２】
本発明は、また、実施される消毒及び除染方法の制御専用装置に関するものである。
【背景技術】
【０００３】
現在、複数の自動車車両の消毒及び除染方法が公知である。それらの大部分は自動車の洗浄後に利用され、通常は噴霧器または気化器によって利用される泡または蒸気などの様々な型の化学製品または物質を使用する。これらの製品は、通常、抗菌作用が低下した有効成分を使用するので、有効性が限定されており、その一方で、通常は、臭いを恒久的に除去するのではなく、単純にごまかすだけなので、それらの製品の消臭効果はほとんど、または全くなく、さらに、処理後に、場合によっては極めて有害であり、除去することが容易ではない化学残留物を残すという欠点がある。
【０００４】
現在、他の公知の解決法は、消毒作用を実現することが可能な蒸気を発生させる発熱反応を引き起こす複数の化学薬品を組み合わせる。これらの解決法は有効であるが、しかしながら、処理前に異なる化学物質を組み合わせることが必要になるので、実施することが困難であり、一般的に除去することが困難な、有害な化学残留物を生成する。
【０００５】
例えば、特許文献１に記載されている、車両除染用に使用される設備に関して、その設備は、トラックの貨物室の上に配置されたコンテナから構成され、そこから、除染作業が実施され、そのコンテナ内には、自律設備、ローラ、ホース、接続、可撓性水タンク（清浄及び残留）、吸引ポンプ、残留水回収トレイ、除染ロッド、照明、地形バー、ミキサ、身体除染用シャワー設備、個人防御服ダンス、除染用ポータブル設備、及び他の付属品が置かれている。特許文献２には、特許文献１のものよりさらに複雑な別の自律的除染設備が記載されている。
【０００６】
除染プロセスは、今日では、「ａｄ  ｈｏｃ（専門）」設備で実行され、車両はその設備内に案内され、その後、通常は噴霧器または気化器によって利用される泡または蒸気等の様々な型の化学製品または物質を使用する、長い処理プロセスが実施される。これらの設備は、車両識別情報（ナンバープレート）、実行日、期間、使用された温度及び製品等を含む消毒及び除染証明書を発行する。
【０００７】
車両それ自体の内部に除染設備を設置した時、または、ガソリンスタンドまたは運送会社自体に容易に設置可能な、小さな設備を有することが可能である時、車両のドライバ自身またはその作動を知る他のオペレータによって自律的に除染プロセスを実行することが可能になり、問題が発生する。これらの場合には、また、貨物室の除染がいつ、及びどのように実行されたかを示す文書を有することが必要であり、この種の設備はこの方法が実行された証明書を発行する手段を全く有していないので、これは問題である。この証拠書類の作成は、例えば、次の輸送の委託会社によって、その製品が輸送中に前の製品で汚染されることがないことを確実にするために、要求される場合がある。
【先行技術文献】
【特許文献】
【０００８】
【特許文献１】スペイン特許第１０６７７５７６号
【特許文献２】スペイン特許第１０６７５７７号
【発明の概要】
【発明が解決しようとする課題】
【０００９】
本発明の目的は、商品または生きた動物の輸送用車両の貨物室、またはエリアまたは区画の除染及び微生物消毒方法を提案することによって、前記の問題を解決することであり、その方法は、特に、サルモネラ、ジフテリア、ＰＥＤ（ブタ伝染性下痢）等の様々な病原菌の微生物除染を可能にし、また、生きた動物または汚染製品の輸送後の悪臭を除去し、その全部がたった一人のオペレータによって実行可能である少数の単純な操作によって実行される。
【００１０】
本発明の方法によって、輸送車両の貨物区域を消毒及び微生物除染することが可能であり、処理後、そこに有害な残留物が残ることはなく、結果及びオペレータの使用安全性に介して有効性の保証付きであり、及び、経済的には競争力のある価格である。
【課題を解決するための手段】
【００１１】
本発明の目的である輸送車両の除染及び消毒方法は、輸送用車両の貨物室、または、貨物室の少なくとも一つの区画の、病原菌の除去を保証する温度で前記貨物室に高温ガスを注入することによる、少なくとも一つの熱処理段階を備える。この熱処理段階で使用されるガスの温度は、０〜９１℃の範囲であり、最適には、この温度は４５℃より高い。
【００１２】
貨物室、または貨物室区画の除染／消毒に使用されるガスは、好ましくは熱風であるが、酸素もしくは両方の混合物も使用することが可能である。
【００１３】
貨物室、または貨物室区画の除染／消毒方法は、あらかじめ適切に閉じられているこの囲いの内部に熱風を導入することによって実行され、その場合、ガスは外部の自律的な加熱設備から来る管を介してそこに導入される。最適には、熱風の噴出はまた手動で利用され、その熱風は加熱設備から除染される車両の地点に熱風を導くホースの一方の端部でノズルから出てくる。
【００１４】
最適には、貨物室、または貨物室区画の除染／消毒方法に使用される空気は、消毒製品及び／または消臭製品を含む。
【００１５】
したがって、この方法によって、輸送用車両の貨物室、または、貨物室の少なくとも一つの区画の、病原菌の除去を保証する温度で前記貨物室に高温ガスを注入することによる、熱処理段階による除染を実行することが可能である。この方法は、車両のドライバ自身によって容易に操作できるように、操作の単純な加熱設備を使用することによって実行される。この設備は自律的であり、例えば、ガソリンスタンド区域、委託会社内、またたは、車両自体の上の、縮小空間に設置されることが可能である。
【００１６】
したがって、本発明の別の目的は、そのような設備を制御することが可能であり、より重要なことには、除染が実行された日付及び状態に関するデータを配送員、またはそれを必要とする人なら誰でも、容易に利用することを可能にする装置を提供することである。
【００１７】
本発明の目的である輸送車両除染制御装置は、除染方法を設定する機能を実行するための適切な専用ソフトウエアを実行し、車両に設置されたセンサから除染プロセスに関する一連のデータを受け、電子手段によって、同様にそのようなデータを記憶し、処理し、及び、システムのユーザまたは車両の委託会社に転送する担当の制御装置によって制御される、自律設備である。また、前記制御装置は、ユーザのインターフェースと接続し、それを介して、除染方法の操作に関する命令を管理し、ユーザに実行された作業及び、状況に応じて、実行された方法に関するデータを提示する。
【００１８】
除染される貨物室区画の様々な地点に適切に配置されたセンサは、一連の温度、湿度等を制御装置に転送し、それらを読み取り、除染プロセスの間及び終わりに、記憶及び／または処理する。実行された除染に関する日付、温度及び他の変数、及び除染が実行された車両の識別に関するデータは、メモリに記憶される。
【００１９】
好ましくは、装置はまた実行された除染プロセスの証明書を印刷することが可能なプリンタを内蔵する。
【００２０】
さらに、モバイル情報端末、または、全保有車両の情報センターにおいて、対応する車両で実施された除染データを、インターネットを介して転送し、ダウンロードすることが可能なエミッタ／レシーバが配置されている。
【００２１】
最適には、この装置は、さらに、その外部データ記憶装置に接続するためのＵＳＢポートを内蔵しており、または、そのＵＳＢポートを介して、管理及び／または制御装置更新ソフトウエアが実行される。
【００２２】
説明を補足するために、及び本発明の特徴の理解を容易にする目的で、実例ではあるが、非限定的に性質を有する、下記に記載した本明細書に図面を添付した。
【図面の簡単な説明】
【００２３】
【図１】図１は本発明の装置の機能ブロック図である。
【発明を実施するための形態】
【００２４】
図面から分かるように、輸送車両の除染を制御する装置は、好ましくは、除染が輸送用車両の貨物室、または、貨物室の少なくとも一つの区画の、病原菌の除去を保証する温度で前記貨物室に高温ガスを注入することによる熱処理によって実行されるプロセスを制御するためのものである。この装置は、下記の本質的要素または機構から構成されている：
【００２５】
ａ）自律設備によって実行される除染方法を設定する機能を実行するための適切なソフトウエアを実行する担当の、または、電子手段によって、車両に設置されたセンサ３から除染プロセスに関する一連のデータを受け、同様にそのようなデータを記憶し、処理し、及び、転送するために車両内に設置された制御装置１。
【００２６】
ｂ）制御装置１と相互作用して、制御装置に除染プロセスの操作に関する命令を転送し、一方で、同時に実行された作業及び、状況に応じて、実行されたプロセスに関するデータを提示し、さらに、実行された除染プロセスに関するデータの電子手段による印刷または転送を制御することが可能なユーザインターフェース２。
【００２７】
ｃ）制御装置１に接続された、除染される貨物室区画の様々な地点に適切に配置され、プロセスの間及び終わりに、その読み取りを記憶及び／または処理する一連の温度、または、他のパラメータセンサ３。これらのセンサは、好ましくは、Ｗｉｆｉを介して、制御装置１と通信する。
【００２８】
ｄ）実行された除染に関する日付、温度及び他の変数、及び除染プロセスが実行された車両の識別に関するデータ用記憶装置５。
【００２９】
これらの本質的要素に加えて、装置は、最適には、また実行された除染プロセスの証明書を印刷するプリンタ６を内蔵する。
【００３０】
また最適には、この装置は、モバイル情報端末、または、全保有車両の情報センターにおいて、対応する車両の実行された除染データを、インターネットを介して転送し、ダウンロードすることが可能なエミッタ／レシーバを内蔵する。
【００３１】
最後に、及び最適には、この装置は、データ記憶のため外部装置に接続される、または制御装置１の制御ソフトウエアの実行用のＵＳＢポートを内蔵する。
【００３２】
本発明の性格は、好ましい実施形態と同様に十分に記載されているので、本明細書に記載した本質的な特徴を変更しない限り、記載した要素の材料、形状、サイズ及び配置は変更することが可能であることが分かる。
【符号の説明】
【００３３】
１  制御装置
２  ユーザインターフェース
３  センサ
５  記憶装置
６  プリンタ
【図１】
2018516611.tif 000003
【国際調査報告】
2018516611.tif 000004
2018516611.tif 000005
2018516611.tif 000006
2018516611.tif 000007